【事件の表示】
　平成３年特許願第１７９６２０号「図形処理装置」拒絶査定に対する審判事件［平成４年１２月１６日出願公開、特開平４−３６３７７４号］について、次のとおり審決する。
【結　論】
　本件審判の請求は、成り立たない。
【　    】
理　由 
１.手続の経緯・本願発明
　本願は、平成３年７月１９日（優先権主張平成２年７月２０日）に出願されたものであって、その請求項１に係る発明（以下「本願発明」という）は、平成７年4月１４日付け、平成９年１月１６日付け、及び平成１１年７月１６日付け手続補正書で補正された明細書及び図面の記載からみて、特許請求の範囲の請求項１に記載された次のとおりのものである。
「図形処理装置にして、画像を構成する第１のビットマップ図形及び前記第１のビットマップ図形に重ねあわせるべき第２のビットマップ図形のピクセルの色値を保持する図形記憶手段と、前記第１及び第２のビットマップ図形のそれぞれのピクセルの奥行値を保持する奥行値記憶手段と、前記第２のビットマップ図形を、前記第１のビットマップ図形の記憶領域上に転送する転送手段と、上記転送の際、両方のビットマップ図形のそれぞれの奥行値をピクセルごとに前記奥行値記憶手段から呼び出してそれらを比較する比較手段と、上記比較手段の比較結果に従い前記第２のビットマップ図形の奥行値が前記第１のビットマップ図形の奥行値より前方にある場合、前記第２のビットマップ図形のピクセル値を前記第１のビットマップ図形のピクセル値に更新する手段と、マイクロプロセッサから、処理の対象となる前記第１及び第２のビットマップ図形のそれぞれの画像の先頭アドレスとデータの大きさを受け取り、前記図形記憶手段及び前記奥行値記憶手段へアクセスするためのアドレスを順次算出するアドレス生成手段と、を具備することを特徴とする図形処理装置。」
２．引用刊行物
　これに対して、当審の拒絶の理由で引用した特開平２ー１４８２７８号公報（平成２年６月７日出願公開。以下「引用例」という。）には、
ａ.「ある視点からの対象の３次元画像と、その対象を横切る任意の切断面でのＣＴ像とを合成する際に、その切断面がその視点から見えるか否かを自動判別してそれに応じて画像合成を行なうことにより、３次元画像がどのような方向のものでも、あるいは切断面がどのような設定であっても自由に画像合成を行なうことができるようにした、画像処理装置を提供すること」（第２頁左上欄１行ないし８行）を目的とし、
ｂ．「対象を表わす３次元画像が格納された第１の記憶手段と、切断面を表わす３次元画像が格納された第２の記憶手段と、これらの同一点の画素を読み出す手段と、読み出された画素値から視点よりいずれが遠いかを判定する手段と、切断面の方が近いと判定されたときに切断面でのその画素に相当するＣＴデータを、対象を表わす３次元画像にオーバーライトする手段」（第２頁左上欄１２行ないし１９行）を備えた画像処理装置を課題を解決するための手段とし、より具体的には、
ｃ．「画像メモリ１には対象の３次元画像、つまり例えば第２図のようにある視点からの距離情報によって構成された画像２１が格納され」（第２頁左下欄６行ないし９行）ること、
ｄ．「画像メモリ２には、たとえば第２図に示す切断面２２の３次元画像、つまり対象の３次元画像２１と同じ視点からの距離情報によって切断面２２を表す画像が格納され」（第２頁左下欄９行ないし１３行）ること、
ｅ．「画像メモリ３にはこの切断面２２でのＣＴ像２３、つまり切断面２２をスライス面とする断層像が記憶され」（第２頁左下欄１３行ないし１５行）ること、
ｆ．「アドレス発生器４がこれら画像メモリ１、２、３の同一画素（ｉ，ｊ）を指定するアドレス信号を発生する（中略）。すると、画像メモリ１、２、３からそれぞれ画素値Ｚ（ｉ，ｊ）、Ｚ′（ｉ，ｊ）、Ｖ（ｉ，ｊ）が読み出される」（第２頁左下欄１６行ないし右下欄１行）こと、
ｇ．「Ｚ（ｉ，ｊ）、Ｚ′（ｉ，ｊ）はそれぞれ視点からの距離情報であり、Ｖ（ｉ，ｊ）はＣＴ値である。このＺ（ｉ，ｊ）、Ｚ′（ｉ，ｊ）は比較器５に送られてその大小関係が比較される」（第２頁右下欄２行ないし６行）こと、
ｈ．「Ｚ（ｉ，ｊ）≧Ｚ′（ｉ，ｊ）の場合、比較器５から「１」の信号が生じ、これによってＡＮＤゲート６が開き、書き込み信号が画像メモリ７に送られて書き込み可能状態とされる。この画像メモリ７には対象の３次元像２１に陰影処理などが施された３次元画像が格納されており、このように書き込み可能状態にされたとき、アドレス発生器４からのアドレス信号で指定されたアドレス（ｉ，ｊ）へのＶ（ｉ，ｊ）のオーバーライト（もとのデータを消してその上に書き込む）がなされる。したがって、アドレス発生器４から順次異なるアドレス信号を発生してそれらの画素についてこのような比較、及びその結果によって制御された断面ＣＴ像２３の書き込みを行っていくと、対象の３次元画像２１の中に、切断面２２における断面ＣＴ像２３が徐々に形成されていく」（第２頁右下欄７行ない第３頁左上欄４行）こととした画像処理装置が図面と共に記載されている。
３．対比
　そこで、本願発明と引用例に記載された発明とを対比すると、 
　引用例に記載された発明における「画像メモリ７」と「画像メモリ３」は、対象の３次元像２１と、この対象の３次元像２１に重ねあわせるべき切断面２２でのＣＴ像２３をそれぞれ格納するものである（上記記載ｅ、ｈ参照）から、本件発明の「図形記憶手段」とは、「第１の画像及び前記第１の画像に重ねあわせるべき第２の画像を保持する画像記憶手段」という点で一致し、
　同じく引用例に記載された発明における「画像メモリ１」と「画像メモリ２」は、対象の３次元画像、つまりある視点からの距離情報によって構成された画像２１と、切断面２２の３次元画像、つまり対象の３次元画像２１と同じ視点からの距離情報によって切断面２２を表す距離情報（画素値Ｚ（ｉ，ｊ）、Ｚ′（ｉ，ｊ）をそれぞれ格納するものである（上記記載ｃ、ｄ、ｆ参照）から、本願発明における「奥行値記憶手段」とは、「前記第１及び第２の画像のそれぞれのピクセルの奥行値を保持する奥行値記憶手段」である点で一致し、
　同じく引用例に記載された発明は、画像メモリ３に格納された断面ＣＴ像２３（第１の画像）を、画像メモリ７に格納された対象の３次元像２１（第２の画像）にオーバーライトする構成を備えるものである（上記記載ｈ参照）から、この構成と本願発明の「転送手段」とは、「前記第２の画像を、前記第１の画像の記憶領域上に転送する転送手段」という点で一致し
　同じく引用例に記載された発明における「比較器５」は、画像メモリ３に格納された断面ＣＴ像２３（第１の画像）を、画像メモリ７に格納された対象の３次元像２１（第２の画像）にオーバーライトする際、「画像メモリ１」、及び「画像メモリ２」から読み出された視点からの距離情報（画素値Ｚ（ｉ，ｊ）、Ｚ′（ｉ，ｊ））の大小関係を比較するものである（上記記載ｇ、ｈ参照）から、本願発明の「比較手段」とは、「上記転送の際、両方の画像のそれぞれの奥行値をピクセルごとに前記奥行値記憶手段から呼び出してそれらを比較する比較手段」という点で一致し、
　同じく引用例に記載された発明は、比較器５による比較の結果がＺ（ｉ，ｊ）≧Ｚ′（ｉ，ｊ）の場合、比較器５から「１」の信号が生じ、これによってＡＮＤゲート６が開き、書き込み信号が画像メモリ７に送られて書き込み可能状態とされ、この対象の３次元像２１（第１の画像）に画像メモリ３に格納された断面ＣＴ像（第２の画像）のＣＴ値（画素値Ｖ（ｉ、ｊ））がオーバーライトされる構成を備えるものである（上記記載ｈ参照）から、この構成と本願発明の「更新する手段」とは、「上記比較手段の比較結果に従い前記第２の画像の奥行値が前記第１の画像の奥行値より前方にある場合、前記第２の画像のピクセル値を前記第１の画像のピクセル値に更新する手段」である点で一致し、
　同じく引用例における「アドレス発生器４」は、「画像メモリ１」、「画像メモリ２」、「画像メモリ３」、及び「画像メモリ７」へのアドレス信号を順次発生するものである（上記記載ｆ、ｈ参照）から、本願発明の「アドレス生成手段」とは、「前記画像記憶手段及び前記奥行値記憶手段へアクセスするためのアドレスを順次算出するアドレス生成手段）という点で一致し、　
　そして、本願発明と引用例に記載された発明は、「画像処理装置」という点で一致することが明らかであるから、結局、両者は、
「画像処理装置にして、第１の画像及び前記第１の画像に重ねあわせるべき第２の画像を保持する画像記憶手段と、前記第１及び第２の画像のそれぞれのピクセルの奥行値を保持する奥行値記憶手段と、前記第２の画像を、前記第１の画像の記憶領域上に転送する転送手段と、上記転送の際、両方の画像のそれぞれの奥行値をピクセルごとに前記奥行値記憶手段から呼び出してそれらを比較する比較手段と、上記比較手段の比較結果に従い前記第２の画像の奥行値が前記第１の画像の奥行値より前方にある場合、前記第２の画像のピクセル値を前記第１の画像のピクセル値に更新する手段と、前記画像記憶手段及び前記奥行値記憶手段へアクセスするためのアドレスを順次算出するためのアドレス生成手段とを具備する画像処理装置」である点で一致し、次の点で相違する。
(1) 本願発明は、「画像記憶手段」（図形記憶手段）、「奥行値記憶手段」、「転送手段」、「比較手段」、「更新する手段」、及び「アドレス生成手段」で扱う第１及び第２の画像をビットマップ図形とした図形処理装置を対象とし、また、画像記憶手段（図形記憶手段）は第１のビットマップ図形及び第２のビットマップ図形のピクセルの色値を保持するのに対して、引用例に記載された発明は、前記各手段で扱う第１及び第２の画像を３次元画像及び断面ＣＴ像とした画像処理装置を対象とし、画像記憶手段（画像メモリ３、７）がピクセルの色値を保持するかどうかは不明である点。
(2)本願発明の「アドレス生成手段」は、「マイクロプロセッサから、処理の対象となる前記第１及び第２のビットマップ図形のそれぞれの画像の先頭アドレスとデータの大きさを受け取」るのに対し、引用例に記載された発明における「アドレス生成手段」（アドレス発生器４）は、マイクロプロセッサとの関係について記載されていない点。
４.当審の判断                              
　上記相違点(1)について検討すると、処理する第１、第２の画像をビットマップ図形とした図形処理装置、及び該処理装置において、図形記憶手段にビットマップ図形のピクセルの色値を保持することは、当業者に周知の構成であるから、引用例に記載された画像処理装置において、処理する第１及び第２の画像をビットマップ図形とし、画像記憶手段（図形記憶手段）に第１のビットマップ図形及び第２のビットマップ図形のピクセルの色値を保持する構成を採用することは、当業者が容易になし得ることである。
　次に、上記相違点(2)について検討すると、マイクロプロセッサから、アドレス生成手段に対して画像メモリに記憶された処理領域（転送領域）の先頭アドレスとデータの大きさの指示を行うことは、画像転送の技術分野において一般的に行われていることである（必要ならば、例えば特開昭６３−１５９９６１号公報参照）から、引用例に記載された発明における「アドレス発生器４」が、マイクロプロセッサから、処理の対象となる第１及び第２のビットマップ図形のそれぞれの画像の先頭アドレスとデータの大きさを受け取」るように構成することは、当業者が容易になし得ることである。
　そして、本願発明の構成によりもたらされる効果も引用例から当業者が容易に予測し得る程度のものであり、格別のものではない。
5.むすび
　以上のとおりであるから、本願発明は、引用例に記載された発明に基いて当業者が容易に発明をすることができたものと認められるので、特許法第２９条第２項の規定により、特許を受けることができない。
　よって、結論のとおり審決する。